(57)【要約】      （修正有）【課題】ハンズフリー通話による作業性の向上を容易に実現できる防災用設備を提供する。【解決手段】制御盤（受信機１０）と端末機器（発信機２０）とを備え、制御盤と端末機器との間で電話線を介した通話を行う防災用設備であって、制御盤に設けられた電話ジャック１２および／または端末機器に設けられた電話ジャック２２に接続可能なプラグを有し、外部機器との無線通信が可能な無線変換器４０をさらに備える。無線変換器は、電話線を介して電話ジャックに到達した第１音声信号を無線送信信号に変換して外部機器に送信し、外部機器から受信した無線受信信号を第２音声信号に変換し、電話線を介して送信する。【選択図】図１
2020035139.tif 000002
【特許請求の範囲】
【請求項１】
制御盤と端末機器とを備え、前記制御盤と前記端末機器との間で電話線を介した通話を行う防災用設備であって、
前記制御盤に設けられた電話ジャックおよび／または前記端末機器に設けられた電話ジャックに接続可能なプラグを有し、外部機器との無線通信が可能な無線変換器をさらに備え、
前記無線変換器は、
前記電話線を介して前記電話ジャックに到達した第１音声信号を無線送信信号に変換して前記外部機器に送信し、
前記外部機器から受信した無線受信信号を第２音声信号に変換し、前記電話線を介して送信する
防災用設備。
【請求項２】
前記無線変換器は、固定用マグネットが設けられており、前記固定用マグネットにより、前記制御盤または前記端末機器に対して着脱可能である
請求項１に記載の防災用設備。
【発明の詳細な説明】
【技術分野】
【０００１】
本発明は、無線による通話機能を備えた防災用設備に関する。
【背景技術】
【０００２】
従来、施工時およびメンテナンス時において、火災報知設備に用いられる受信機および発信機の双方の電話ジャックに受話器を取り付けることで、受信機側と発信機側との間で通話を可能としている。また、作業性を改善するために、この電話ジャックに保守電話を取り付けた上で、ハンズフリー通話またはハンドセット通話を可能とする従来技術がある（例えば、特許文献１参照）。
【先行技術文献】
【特許文献】
【０００３】
【特許文献１】特開２０１０−２３１５８１号公報
【発明の概要】
【発明が解決しようとする課題】
【０００４】
しかしながら、従来技術には、以下のような課題がある。
特許文献１に係る従来技術は、通話用途に応じて、ハンズフリー通話またはハンドセット通話に切り換えて通話を行う必要があった。
【０００５】
ハンズフリー通話は、受話器から手を離して作業をすることができ、受話器による通話と比較して、作業性は大幅に改善される。しかしながら、通話部から少し離れると、通話のために話し声を大きくする必要がある。このため、特に、顧客の業務時間中などに火災報知設備の点検を行う場合には、話し声の大きさに制約がかかり、聞き取りやすい会話を実現することが困難な場合も考えられる。
【０００６】
また、特許文献１には、無線式のヘッドホンマイクを用いた通話を可能とすることも記載されている。しかしながら、無線式の通話に対応するためには、切換スイッチを新たに設ける必要があった。従って、特許文献１は、種々の切換スイッチを備えたハードウェア構成を採用する必要があるため、製造コストの上昇を招くとともに、操作も複雑化してしまう問題があった。
【０００７】
本発明は、このような問題を解決するためになされたものであり、ハンズフリー通話による作業性の向上を容易に実現できる防災用設備を得ることを目的とする。
【課題を解決するための手段】
【０００８】
上記の課題を解決するために、本発明に係る防災用設備は、制御盤と端末機器とを備え、制御盤と端末機器との間で電話線を介した通話を行う防災用設備であって、制御盤に設けられた電話ジャックおよび／または端末機器に設けられた電話ジャックに接続可能なプラグを有し、外部機器との無線通信が可能な無線変換器をさらに備え、無線変換器は、電話線を介して電話ジャックに到達した第１音声信号を無線送信信号に変換して外部機器に送信し、外部機器から受信した無線受信信号を第２音声信号に変換し、電話線を介して送信するものである。
【発明の効果】
【０００９】
この発明によれば、電話ジャックに差し込むことで外部機器との間で無線通信を可能とする無線変換器を備えている。この結果、ハンズフリー通話による作業性の向上を容易に実現できる防災用設備を得ることができる。
【図面の簡単な説明】
【００１０】
【図１】本発明の実施の形態１に係る火災報知設備の全体構成図である。
【図２】本発明の実施の形態１に係る受信機に対して、無線変換器を接続する説明図である。
【図３】本発明の実施の形態１に係る受信機において、ハンズフリーによる無線通話を行う説明図である。
【図４】本発明の実施の形態１に係る無線変換器の構造に関する説明図である。
【発明を実施するための形態】
【００１１】
以下、本発明の防災用設備の好適な実施の形態につき、図面を用いて説明する。なお、以下の説明では、防災用設備の一例としての火災報知設備の管理室側に設置された受信機と、火災感知器等の発信機が設置されている設置現場側との間で通話を行う場合を具体例として、詳細に説明する。
【００１２】
実施の形態１．
図１は、本発明の実施の形態１に係る火災報知設備の全体構成図である。図１に示す火災報知設備は、受信機１０（制御盤に相当）と、それぞれの火災監視領域に設置されたＮ台の発信機２０（１）〜２０（Ｎ）（端末機器に相当）とを備えて構成されている。
【００１３】
受信機１０と、Ｎ台の発信機２０（１）〜２０（Ｎ）のそれぞれとは、火災感知に関する情報の送受信を行うための信号線ＳＧと、通話用の電話線ＴＬとで、互いに接続されている。
【００１４】
受信機１０は、管理室に設置されており、Ｎ台の発信機２０（１）〜２０（Ｎ）を集中管理している。受信機１０は、通信制御部１１および電話ジャック１２を備えている。一方、Ｎ台の発信機２０（１）〜２０（Ｎ）のそれぞれは、通信制御部２１および電話ジャック２２を備えている。
【００１５】
電話ジャック１２および電話ジャック２２には、通常、保守電話から延びる電話ジャックが差し込まれる。この結果、施工時およびメンテナンス時において、管理室側にいる作業者と、設置現場側にいる作業者とが、電話線ＴＬを介して通話することができる構成となっている。
【００１６】
ここで、本実施の形態１に係る火災報知設備では、電話ジャック１２に対して、無線変換器４０から延びるプラグを差し込むことで、受信機１０側での無線通信を可能としている。同様に、本実施の形態１に係る火災報知設備では、電話ジャック２２に対して、無線変換器４０から延びるプラグを差し込むことで、発信機２０側での無線通信を可能としている。
【００１７】
すなわち、無線変換器４０は、電話線ＴＬを介して電話ジャック１２または電話ジャック２２に到達した第１音声信号を、無線送信信号に変換して、外部機器に送信できる。さらに、無線変換器４０は、外部機器から受信した無線受信信号を第２音声信号に変換し、電話線ＴＬを介して第２音声信号を送信できる。なお、外部機器の一例として、後述するヘッドセット４１がある。
【００１８】
図１では、受信機１０の電話ジャック１２に無線変換器４０を接続した状態のみを例示している。また、無線変換器４０の具体例としては、近距離無線通信の規格のひとつであるＢｌｕｅｔｏｏｔｈ（登録商標）を適用した変換器が挙げられる。
【００１９】
次に、無線変換器４０を用いたハンズフリーによる無線通話機能について詳細に説明する。図２は、本発明の実施の形態１に係る受信機１０に対して、無線変換器４０を接続する説明図である。また、図３は、本発明の実施の形態１に係る受信機１０において、ハンズフリーによる無線通話を行う説明図である。
【００２０】
無線変換器４０は、電話ジャック１２に接続可能なプラグを有している。そこで、施工時あるいはメンテナンス時において、作業者は、まず、無線変換器４０から延びるプラグ４０ａを、受信機１０の電話ジャック１２に差し込む（図２参照）。次に、作業者は、スピーカー４１ａおよびマイク４１ｂを有するヘッドセット４１を装着する（図３参照）。
【００２１】
このような構成とすることで、ヘッドセット４１と無線変換器４０とは、無線による音声信号の送受信を行うができる。この結果、無線変換器４０は、電話線ＴＬを介して、接続先から受信した音声信号を、ヘッドセットを装着した作業者に伝えるとともに、作業者の発生に基づく音声信号を接続先に伝えることができ、音声信号を用いた相互通信を可能とする。
【００２２】
従って、作業者は、無線変換器４０から離れて作業する場合にも、スピーカー４１ａを介して、相手側の発した音声を確実に聞き取ることができるとともに、マイク４１ｂを介することで、必要以上に大声を出すことなく、顧客の業務を邪魔せずに、通話を行うことができる。さらに、作業者は、装着したヘッドセット４１により、ハンズフリーの状態で容易に通話を行うことができ、作業性の改善を図ることができる。
【００２３】
図４は、本発明の実施の形態１に係る無線変換器４０の構造に関する説明図である。先の図２、図３で説明したように、無線変換器４０は、プラグ４０ａを用いて、電話ジャック１２に取り付けることができる。ただし、このままでは、受信機１０が無線変換器４０を保持することまではできない。そこで、本実施の形態１に係る無線変換器４０には、図４に示すように、背面に固定用マグネット４０ｂが設けられている。
【００２４】
従って、この固定用マグネット４０ｂにより、無線変換器４０を、受信機１０に対して容易に着脱することができる。また、受信機１０に対して無線変換器４０を安定的に固定できるため、良好な通話状態を維持できる。
【００２５】
なお、本実施の形態１では、防災設備の一例として受信機１０および発信機２０（１）〜２０（Ｎ）を備えた火災報知設備について説明したが、本願の発明は、これに限定されず、例えば消火システム制御盤（制御盤に相当）および消火設備現地操作盤（端末機器に相当）を備えた消火設備に用いることもできる。
【００２６】
また、本実施の形態１では、固定用マグネット４０ｂを用いて、受信機１０に対して無線変換器４０を着脱可能とする場合について説明したが、受信機１０以外にも、例えば消火システム制御盤、発信機、発信機を備えた消火栓箱あるいは機器収納箱、現地操作盤等、さらには、これらの近傍にある鉄製品にも着脱可能である。
【００２７】
無線変換器４０として、Ｂｌｕｅｔｏｏｔｈを用いた変換器を使用する場合には、以下のようなメリットがある。
・１０ｍ以内であれば、障害物があっても通信可能であり、受信機１０あるいは発信機２０を操作する作業者は、ハンズフリーによる無線通信を容易に行うことができる。
・Ｂｌｕｅｔｏｏｔｈは国際標準規格であり、Ｂｌｕｅｔｏｏｔｈによる通信機能を備えたヘッドセット４１を用いることができる。
・無線変換器４０とヘッドセット４１との接続時にペアリングを実施することにより、盗聴を防止することができ、セキュリティ面も保証される。
【００２８】
なお、本実施の形態１では、Ｂｌｕｅｔｏｏｔｈを送受信する外部機器の一例としてヘッドセット４１について説明したが、本願の発明は、これに限定されず、例えばＢｌｕｅｔｏｏｔｈを受信可能な携帯電話等でもよい。携帯電話は通話するためのスピーカーおよびマイクを備えており、片手が塞がるが制御盤あるいは端末機器から離れた位置での作業が可能となり、ハンズフリー通話機能を有しているものもある。
【００２９】
以上のように、実施の形態１によれば、保守電話を差し込む電話ジャックに無線変換器を取り付ける構成を備えている。さらに、無線変換器に固定用マグネットを装着させることで、無線変換器を電話ジャックの近傍に容易に着脱可能とする構成を実現できる。この結果、作業者は、ヘッドセットを用いたハンズフリーによる無線通信を行うことができ、ハンズフリー通話による作業性の向上を容易に実現することができる。
【符号の説明】
【００３０】
１０  受信機（制御盤）、１１  通信制御部、１２  電話ジャック、２０  発信機（端末機器）、２１  通信制御部、２２  電話ジャック、４０  無線変換器、４０ａ  プラグ、４０ｂ  固定用マグネット、４１  ヘッドセット、４１ａ  スピーカー、４１ｂ  マイク。
【図１】
2020035139.tif 000003
【図２】
2020035139.tif 000004
【図３】
2020035139.tif 000005
【図４】
2020035139.tif 000006